(57)【特許請求の範囲】
【請求項１】
それぞれが異なる解像度を有する複数種類のプリンタを制御するプリンタ制御装置において，
複数の画像の中からプリントすべき画像を選択する画像選択手段，
上記画像選択手段によって選択された画像の画素数と上記解像度とにもとづいて，上記複数種類のプリンタの中から使用すべきプリンタを決定するプリンタ決定手段，および
上記プリンタ決定手段によって決定されたプリンタに，上記画像選択手段によって選択された画像を表す画像データを送信する送信手段，
を備え，
上記プリンタ決定手段は，
上記画像選択手段によって選択された画像の方が上記プリンタによってプリントされる画像よりも横長の場合には縦方向の画素数を比較し，上記画像選択手段によって選択された画像の方が上記プリンタによってプリントされる画像よりも縦長の場合には横方向の画素数を比較する，（プリントされる画像の縦方向または横方向の画素数）／（上記画像選択手段によって選択された画像の縦方向または横方向の画素数）から得られる倍率を上記複数のプリンタについて算出し，得られた倍率のうち最も小さい倍率となるプリンタを使用すべきプリンタと決定するものである，
プリンタ制御装置。
【請求項２】
上記複数種類のプリンタのそれぞれから送信されるプリンタ特性を表すデータを受信する受信手段をさらに備え，
上記プリンタ決定手段は，
上記画像選択手段によって選択された画像の画素数と上記受信手段によって受信されたプリンタ特性を示すデータにもとづいて得られる上記解像度とにもとづいて，上記複数種類のプリンタの中から使用すべきプリンタを決定するものである，
請求項１に記載のプリンタ制御装置。
【請求項３】
上記画像選択手段によって選択された画像の画素数と上記プリンタ決定手段によって決定されたプリンタの解像度とにもとづいて，上記選択された画像の大きさを調整する調整手段をさらに備え，
上記送信手段は，
上記調整手段によって大きさが調整された画像を表す画像データを上記プリンタ決定手段によって決定されたプリンタに送信するものである，
請求項１に記載のプリンタ制御装置。
【請求項４】
それぞれが異なる解像度を有する複数種類のプリンタを制御するプリンタ制御装置のプリンタ制御方法において，
複数の画像の中からプリントすべき画像を選択し，
選択された画像の画素数と上記解像度とにもとづいて，上記複数種類のプリンタの中から使用すべきプリンタを決定し，
決定されたプリンタに，選択された画像を表す画像データを送信するプリンタ制御方法であって，
選択された画像の方が上記プリンタによってプリントされる画像よりも横長の場合には縦方向の画素数を比較し，選択された画像の方が上記プリンタによってプリントされる画像よりも縦長の場合には横方向の画素数を比較する，（プリントされる画像の縦方向または横方向の画素数）／（選択された画像の縦方向または横方向の画素数）から得られる倍率を上記複数のプリンタについて算出し，得られた倍率のうち最も小さい倍率となるプリンタを使用すべきプリンタと決定する，
プリンタ制御方法。
【請求項５】
それぞれが異なる解像度を有する複数種類のプリンタを制御するプリンタ制御装置のコンピュータを制御するためのプログラムであって，
複数の画像の中からプリントすべき画像を選択させ，
選択された画像の画素数と上記解像度とにもとづいて，上記複数種類のプリンタの中から使用すべきプリンタを決定させ，
決定されたプリンタに，選択された画像を表す画像データを送信させ，
選択された画像の方が上記プリンタによってプリントされる画像よりも横長の場合には縦方向の画素数を比較させ，選択された画像の方が上記プリンタによってプリントされる画像よりも縦長の場合には横方向の画素数を比較する，（プリントされる画像の縦方向または横方向の画素数）／（選択された画像の縦方向または横方向の画素数）から得られる倍率を上記複数のプリンタについて算出させ，得られた倍率のうち最も小さい倍率となるプリンタを使用すべきプリンタと決定させるようにプリンタ制御装置のコンピュータを制御するためのプログラムを格納したコンピュータが読み取り可能な記録媒体。
【発明の詳細な説明】
【０００１】
【技術分野】
この発明は，画像をプリントするプリンタを制御する装置および方法ならびにそのような装置を制御するためのプログラムを格納した記録媒体に関する。
【０００２】
【発明の背景】
画像をプリントする場合，パーソナル・コンピュータなどのプリンタ制御装置にプリンタを接続する。パーソナル・コンピュータにおいて所望の画像を選択し，選択した画像を表す画像データがプリンタに送信され，プリントされる。
【０００３】
プリンタによってプリントされる画像の大きさは，選択された画像自体の大きさのほかプリンタの解像度にも依存する。選択された画像自体の大きさとプリンタの解像度とを考慮しないでプリントするとプリンタの用紙よりも画像が大きくプリントされたり，逆に小さくプリントされてしまうことがある。
【０００４】
適切な大きさの画像をプリントするためにパーソナル・コンピュータにおいて画像の大きさを調整する必要があるが，その調整処理は比較的面倒である。
【０００５】
また，画像をプリンタを用いてプリントする場合には，使用する用紙の大きさを指定する必要がある。この指定も比較的面倒なものである。
【０００６】
さらに，複数のプリンタをパーソナル・コンピュータなどに接続して複数のプリンタを用いて同時にプリントする場合には，プリンタの解像度が異なると各プリンタごとに画像の大きさ調整をしなければ，プリントされる画像の大きさは，各プリンタごとに異なるものとなってしまう。
【０００７】
このように，プリンタを用いて画像をプリントするときにはユーザが行う設定は比較的面倒なものである。
【０００８】
【発明の開示】
この発明は，プリンタを用いて画像をプリントするときにユーザが行う設定を比較的簡単にすることを特徴とする。
【０００９】
第１の発明は，それぞれが異なる解像度を有する複数種類のプリンタを制御するプリンタ制御装置において，複数の画像の中からプリントすべき画像を選択する画像選択手段，上記画像選択手段によって選択された画像の画素数と上記解像度とにもとづいて，上記複数種類のプリンタの中から使用すべきプリンタを決定するプリンタ決定手段，および上記プリンタ決定手段によって決定されたプリンタに，上記画像選択手段によって選択された画像を表す画像データを送信する送信手段を備えていることを特徴とする。
【００１０】
第１の発明は，上記装置に適した方法も提供している。すなわち，この方法は，それぞれが異なる解像度を有する複数種類のプリンタを制御するプリンタ制御装置において，複数の画像の中からプリントすべき画像を選択し，選択された画像の画素数と上記解像度とにもとづいて，上記複数種類のプリンタの中から使用すべきプリンタを決定し，決定されたプリンタに，選択された画像を表す画像データを送信するものである。
【００１１】
第１の発明は，上記方法を実施するためのプログラムを格納した記録媒体も提供している。
【００１２】
第１の発明によると，複数の画像の中からプリントすべき画像が選択される。選択された画像の画素数と，それぞれが異なる解像度を有する複数種類のプリンタのその解像度とにもとづいて，複数種類のプリンタの中から使用すべきプリンタが決定される。決定されたプリンタに，決定された画像を表す画像データが送信される。
【００１３】
第１の発明によると，解像度が異なる複数種類のプリンタがあった場合でもユーザによるプリンタの設定なしに画像のプリントに適したプリンタが決定されることとなる。
【００１４】
上記複数種類のプリンタのそれぞれから送信されるプリンタ特性を表すデータを受信する受信手段をさらに備えてもよい。この場合，上記プリンタ決定手段は，上記画像選択手段によって選択された画像の画素数と上記受信手段によって受信されたプリンタ特性を示すデータにもとづいて得られる上記解像度とにもとづいて，上記複数種類のプリンタの中から使用すべきプリンタを決定するものとなろう。
【００１５】
また，上記画像選択手段によって選択された画像の画素数と上記プリンタ決定手段によって決定されたプリンタの解像度とから，上記選択された画像の大きさを調整する調整手段をさらに備えてもよい。この場合，上記送信手段は，上記調整手段によって大きさが調整された画像を表す画像データを上記プリンタ決定手段によって決定されたプリンタに送信するものとなろう。
【００１６】
第２の発明は，異なる大きさの用紙にプリント可能なプリンタ（１台でも複数台でもよい）を制御するプリンタ制御装置において，複数の画像の中からプリントすべき画像を選択する画像選択手段，上記画像選択手段によって選択された画像の画素数と上記用紙の大きさとにもとづいて，上記異なる大きさの用紙の中から使用すべき用紙の大きさを決定する大きさ決定手段，および上記大きさ決定手段によって決定された大きさの用紙で，上記画像選択手段によって選択された画像をプリントするように上記プリンタを制御するプリンタ制御手段を備えていることを特徴とする。
【００１７】
第２の発明は，上記装置に適した方法も提供している。すなわち，この方法は，異なる大きさの用紙にプリント可能なプリンタを制御するプリンタ制御装置において，複数の画像の中からプリントすべき画像を選択し，選択された画像の画素数と上記用紙の大きさとにもとづいて，上記異なる大きさの用紙の中から使用すべき用紙の大きさを決定し，決定された大きさの用紙で，選択された画像をプリントするように上記プリンタを制御するものである。
【００１８】
第２の発明は，上記方法を実施するためのプログラムを格納した記録媒体も提供している。
【００１９】
第２の発明によると，プリントすべき画像が選択される。選択された画像の画素数と異なる大きさの用紙のその用紙とにもとづいて，使用すべき用紙の大きさが決定される。決定された用紙に，選択された画像がプリントされる。
【００２０】
第２の発明によると，異なる大きさの用紙のうち，選択された画像に適した大きさの用紙を決定することができる。
【００２１】
上記複数種類のプリンタのそれぞれから送信されるプリンタ特性を示すデータを受信する受信手段をさらに備えてもよい。この場合，上記大きさ決定手段は，上記画像選択手段によって選択された画像の画素数と上記受信手段によって受信されたプリンタ特性を示すデータから得られる上記用紙の大きさとにもとづいて，上記複数種類のプリンタの中から使用すべき用紙の大きさを決定するものとなろう。
【００２２】
上記画像選択手段によって選択された画像の画素数と上記大きさ決定手段によって決定された用紙の大きさとから，上記選択された画像の大きさを調整する調整手段をさらに備えてもよい。この場合，上記送信手段は，上記調整手段によって大きさが調整された画像を表す画像データを上記プリンタに送信するものとなろう。
【００２３】
上記第１の発明と上記第２の発明とを合わせプリンタおよび用紙の大きさの両方とも決定するプリンタ制御装置を構成してもよい。
【００２４】
第３の発明は，それぞれが異なる解像度を有する複数種類のプリンタを制御するプリンタ制御装置において，異なる大きさの用紙の中から所望の大きさの用紙を選択する選択手段，プリントすべきプリント対象画像の画素数と，上記選択手段によって選択された用紙の大きさと，上記異なる解像度とにもとづいて，上記複数種類のプリンタのそれぞれにおいて，上記プリント対象画像をプリントしたときにプリント後の画像の大きさが同じとなるように上記プリント対象画像の大きさを上記複数種類のプリンタに対応して調整する調整手段，および上記調整手段によって大きさが調整されたプリント対象画像を表す画像データを対応するプリンタに送信する送信手段を備えていることを特徴とする。
【００２５】
第３の発明は，上記装置に適した方法も提供している。すなわち，この方法は，それぞれが異なる解像度を有する複数種類のプリンタを制御するプリンタ制御装置において，異なる大きさの用紙の中から所望の大きさの用紙を選択し，プリントすべきプリント対象画像の画素数と，選択された用紙の大きさと，上記異なる解像度とにもとづいて，上記複数種類のプリンタのそれぞれにおいて，上記プリント対象画像をプリントしたときにプリント後の画像の大きさが同じとなるように上記プリント対象画像の大きさを上記複数種類のプリンタに対応して調整し，大きさが調整されたプリント対象画像を表す画像データを対応するプリンタに送信するものである。
【００２６】
第３の発明も上記方法を実施するためのプログラムを格納した記録媒体を提供している。
【００２７】
第３の発明によると，異なる大きさの用紙の中から所望の大きさの用紙が選択される。選択された用紙の大きさと上記複数種類のプリンタのそれぞれの解像度とにもとづいて，上記複数種類のプリンタのそれぞれにおいて選択された画像をプリントしたときのプリント後の画像の大きさが同じとなるように，選択された画像の大きさが調整される。大きさが調整された画像を表す画像データが対応するプリンタに送信され，プリントされることとなる。
【００２８】
第３の発明によると，解像度の異なる複数のプリンタがある場合でも同じ大きさの画像を複数のプリンタをら用いてプリントすることができるようになる。
【００２９】
【実施例の説明】
図１は，この発明の実施例を示すもので，プリンタ制御システムの全体構成を示している。
【００３０】
プリンタ制御システムは，プリンタ制御装置１，モニタ表示装置40およびプリンタ50Ａ〜50Ｃから構成されている。プリンタ50Ａ〜50Ｃのそれぞれには，後述するように各プリンタ固有の識別符号であるプロダクトＩＤが付与されている。プリンタ50Ａ，50Ｂおよび50ＣのプロダクトＩＤは，それぞれ「ＰＲ−１００」，「ＰＲ−１０５」および「ＰＲ−２１０」である。
【００３１】
プリンタ制御装置１には，その前面にメモリ・カード34を挿入するためのメモリ・カード用スロット17，光磁気ディスク35を挿入するための光磁気ディスク用スロット18および磁気ディスク36を挿入するための磁気ディスク用スロット19が形成されている。これらのメモリ・カード34，光磁気ディスク35および磁気ディスク36にはユーザが所有している画像を表す画像データがそれぞれ記録されている。
【００３２】
プリンタ制御装置１によって，メモリ・カード34，光磁気ディスク35または磁気ディスク36に記録されている画像データが読み出され，所望の画像が選択される。選択された画像を表す画像データはプリンタ50Ａからプリンタ50Ｃのうち，一または複数のプリンタに送信され，プリントされる。
【００３３】
この実施例によるプリンタ制御システムにおいては，プリンタ50Ａから50Ｃのうち，選択された画像に適したプリンタを自動選択し，選択されたプリンタを用いてプリントするプリンタ自動選択プリント処理およびユーザに用紙のサイズを選択させ，選択された用紙のサイズで一定の大きさの画像がプリントされるようにプリンタ50Ａから50Ｃのすべてのプリンタを用いてプリントする一括プリント処理が可能である。これらのプリンタ自動選択プリント処理および一括プリント処理について詳しくは後述する。
【００３４】
図２は，プリンタ制御装置１の上面に設けられている操作パネルを示している。
【００３５】
操作パネルには，プリンタ自動選択プリント処理，一括プリント処理等を選択するためのメニュー選択ボタン21，サイズ選択ボタン22，テン・キーパッド23，一駒の画像をモニタ表示装置40の表示画面全体に表示するときにユーザによって押される一画面選択ボタン24，モニタ表示装置40に表示されている複数の画像のすべてを選択する全選択ボタン25，クリア・ボタン26，カーソル・キー27（カーソル・キー27には前頁に頁をめくる前ページ・ボタン28および次の頁に頁をめくる次ページ・ボタン29が含まれている），決定ボタン30およびプリント・ボタン31が含まれている。
【００３６】
図３は，プリンタ制御装置１の電気的構成を示すブロック図である。
【００３７】
プリンタ制御装置１の全体の動作は，ＣＰＵ12によって統括される。
【００３８】
メモリ・カード34に記録されている画像データは，メモリ・カード・インターフェイス２によって読み出され，光磁気ディスク35に記録されている画像データは，光磁気ディスク・ドライバ３によって読み出され，磁気ディスク36に記録されている画像データは，磁気ディスク・ドライバ４によって読み出される。
【００３９】
読み出された画像データは，圧縮されていれば，画像データ伸張回路５においてデータ伸張され，フレーム・メモリ６に与えられ，一時的に記憶される。読み出された画像データが圧縮されていなければ，画像データ伸張回路５を単に通過してフレーム・メモリ６に与えられ，一時的に記憶される。フレーム・メモリ６に一時的に記憶された画像データは，フレーム・メモリ・コントローラ７によって読み出され，75オーム・ドライバ９を介してモニタ表示装置40に与えられる。モニタ表示装置40の表示画面に，フレーム・メモリ６から読み出された画像データによって表される画像が表示される。プリンタ制御装置１にはＯＳＤ（On Screen Display ）回路８も含まれている。ＯＳＤ回路８から，画像上に重ねて表示するためのキャラクタを表すデータが出力され，75オーム・ドライバ９を介してモニタ表示装置40に与えられる。キャラクタが重ねて表示された画像がモニタ表示装置40の表示画面に表示されるようになる。
【００４０】
プリンタ制御装置１にはＳＣＳＩ（Small Computer System Interface ）インターフェイス10が含まれており，このＳＣＳＩインターフェイス10を介してプリンタ50Ａから50Ｃが接続されている。上述した操作パネルからの指令は操作インターフェイス11からプリンタ制御装置１に入力する。
【００４１】
プリンタ制御装置１には，さらに，実行プログラムが格納されているプログラム格納メモリ13，ワーク用ＤＲＡＭ14，ワーク用ＳＲＡＭ15および不揮発性メモリ16が含まれている。
【００４２】
プリンタ制御装置１には，光ディスク・ドライバ20を設けてもよい。プログラムが格納されている光ディスク33を用意する。光ディスク・ドライバ20によって，光ディスク33に格納されているプログラムが読み取られ，プログラム格納メモリ13に格納される。プログラム格納メモリ13に格納されたプログラムにしたがってプリンタ制御装置１が動作することとなろう。
【００４３】
図４は，プリンタの仕様を示すテーブルである。
【００４４】
プリンタ仕様テーブルは，不揮発性メモリ16に格納されている。プリンタ仕様テーブルには，主要なプリンタについてその仕様があらかじめ格納されている。
【００４５】
プリンタ仕様テーブルには，プロダクトＩＤに対応してプリンタのＤＰＩ（dots per inch ）値ならびにプリンタ50Ａから50Ｃにおいてプリント可能な用紙の用紙サイズおよびプリント画素数が記憶されている。プロダクトＩＤが分かることにより，そのプロダクトＩＤによって特定されるプリンタのＤＰＩ値ならびに用紙サイズおよびプリント画素数が分かる。
【００４６】
図５は，プリンタ自動選択プリント処理を示すフローチャートである。
【００４７】
プリンタ自動選択プリント処理は，上述したように，ユーザによってプリントすべき画像が選択された場合に（選択された画像をプリント対象画像という），プリント対象画像のプリントに適したプリンタおよび用紙サイズを決定し，決定したプリンタおよびサイズの用紙を用いてプリント対象画像をプリントするものである。
【００４８】
プリンタ制御装置１の電源がオンされ（ステップ61），メニュー・ボタン21によってプリンタ自動選択プリント処理が選択されると，プリンタ制御装置１からプリンタ制御装置１に接続されているすべてのプリンタ50Ａから50ＣにINQUIRY コマンドが送信される（ステップ62）。
【００４９】
プリンタ50Ａから50ＣにおいてINQUIRYコマンドが受信されると，そのINQUIRYコマンドに応答して，プロダクトＩＤを示すデータがプリンタ制御装置１に送信される。
【００５０】
プリンタ制御装置１において，プリンタ50Ａ〜50Ｃから送信されたプロダクトＩＤを示すデータが受信される（ステップ63）。
【００５１】
ユーザによって，メモリ・カード34，光磁気ディスク35および磁気ディスク36のうちプリントすべき画像を表す画像データが格納されているメディアがプリンタ制御装置１に装填される。プリンタ制御装置１に装填されたメディアに記録されている画像データが読み出され，モニタ表示装置40の表示画面上に一覧表示される。ユーザは，モニタ表示装置40の表示画面上に表示された画像を見ながら，プリント対象画像を選択する（ステップ64）。
【００５２】
その後，ユーザによってプリント・ボタン31が押される（ステップ65）。
【００５３】
プリント対象画像が選択されると，選択されたプリント対象画像の画素数とプリンタ制御装置１に接続されているすべてのプリンタ50Ａ〜50Ｃのプリント画素数とが比較される（ステップ66）。たとえば，プリント対象画像の方がプリント画素数によって表される枠よりも横長の場合には，縦方向の画素数を比較し，プリント対象画像の方がプリント画素数によって表される枠よりも縦長の場合には，横方向の画素数が比較される。
【００５４】
比較結果にもとづいて，プリンタ50Ａから50Ｃのうち使用すべきプリンタおよび用紙サイズが決定される（ステップ67）。具体的には，次のようにしてプリンタおよび用紙サイズが決定する。ステップ66において比較された画素数の割合が算出される。この割合の一番小さいものとなる用紙サイズおよびプリンタがプリント対象画像に適したものである。たとえば，プリント対象画像が，図６に示すように横方向 1000画素，縦方向500画素のものであったとする。プリント対象画像は，プリント画素数によって表される枠よりも横長であるから，プリント対象画像の縦方向の画素数と縦方向のプリント画素数とが比較され，次のように倍率が算出される（倍率＝プリント画素数の縦方向の画素数／プリント対象画像の縦方向の画素数）。
【００５５】
プロダクトＩＤ「ＰＲ−１００」
用紙サイズＡ６：７５０／５００＝１．５倍
用紙サイズＡ５：１０００／５００＝２倍
【００５６】
プロダクトＩＤ「ＰＲ−１０５」
用紙サイズＡ６：１５００／５００＝３倍
用紙サイズＡ５：２０００／５００＝４倍
【００５７】
プロダクトＩＤ「ＰＲ−２１０」
用紙サイズＡ６：２２５０／５００＝４．５倍
用紙サイズＡ５：３０００／５００＝６倍
【００５８】
このようにして算出された倍率のうち最も小さい倍率（この場合１．５倍）となるプリンタおよび用紙サイズが，選択されたプリント対象画像に適したプリンタおよび用紙のサイズとなる。この例では，プロダクトＩＤ「ＰＲ−１００」のプリンタ50Ａを用いてＡ６のサイズの用紙にプリントするのが，選択された対象画像に最も適したものと判断される。プロダクトＩＤ「ＰＲ−１００」の用紙サイズＡ５のプリント画素数によって示される枠が図７に示されている）。
【００５９】
つづいて，プリント対象画像が，選択された用紙のサイズに合致するようにリサイズされる（ステップ68）。具体的には，プリント対象画像がプリント画素数によって表される枠よりも横長であれば，縦方向の倍率を用いてリサイズされ，縦長であれば，横方向の倍率を用いてプリント対象画像がリサイズされる。すなわち，プリント対象画像の縦方向および横方向がそれぞれ１．５倍されたものがリサイズ後のプリント対象画像となる。リサイズ後のプリント対象画像は，図８に示すように縦方向７５０（＝５００×１．５）画素，横方向１５００（＝１０００×１．５）画素となる。これにより，縦方向の画素がプリント画素数の縦方向の画素と一致することとなる。横方向の画素についてはプリント画素数の横方向の画素数よりも大きいため，はみ出した部分についてはプリントが省略されることとなろう。もちろん，他の方法によってリサイズしてもよいのはいうまでもない。
【００６０】
プリント対象画像がリサイズされると，リサイズされたプリント対象画像を表す画像データおよびプリント指令がプリンタ制御装置１から，決定されたプリンタ50Ａに送信される（ステップ69）。画像データおよびプリント指令を送信すべきプリンタは，上述したようにプリンタから受信したプロダクトＩＤにしたがって認識できるのはいうまでもない。また，決定された用紙を用いてプリントするようにプリンタ制御装置１からプリンタ50Ａに送信される。
【００６１】
この実施例によると，ユーザによって選択された画像に適したプリンタおよび用紙を用いてプリントすることができるようになる。
【００６２】
図５は，一括プリント処理を示すフローチャートである。
【００６３】
一括プリント処理は，上述したように，複数のプリンタ50Ａから50Ｃを用いて，ユーザによって選択された用紙に同じ大きさの画像をプリントするものである。多数枚プリントする場合であっても複数のプリンタ50Ａから50Ｃを用いるので，迅速にプリントできる。しかも異なるプリンタからプリントされたものであっても，画像の大きさは同じとなる。
【００６４】
ユーザによって電源がオンされ（ステップ71），一括プリント処理が選択される。サイズ選択ボタン22が押され，プリントすべき用紙のサイズが決定される（ステップ72）。サイズ選択ボタン22が押されると，モニタ表示装置40の表示画面上に，Ａ５またはＡ６を選択する文字が現れ，いずれかのサイズが選択される。
【００６５】
つづいて，プリントすべき画像を表す画像データが格納されているメモリ・カード34等のメディアがプリンタ制御装置１に装填される。装填されたメディアに格納されている画像データが読み取られ，モニタ表示装置40の表示画面上に一覧表示される。一覧表示された画像の中からプリントすべき画像が選択される（ステップ73）。すると，ユーザによってプリント・ボタン31が押される（ステップ74）。
【００６６】
その後，選択された用紙サイズにあわせて，ユーザによって選択されたプリント対象画像の大きさがそれぞれのプリンタに適するようにリサイズされる（ステップ75）。たとえば，ユーザによって選択された用紙サイズがＡ６であれば，プリント画素数横方向１０００画素縦方向７５０画素の枠，プリント画素数横方向２０００画素縦方向１５００画素の枠およびプリント画素数横方向３０００画素縦方向２２５０の画素の枠に合致するように，上述した図５ステップ68の処理と同様にして各プリンタに適したリサイズ処理が行われる。
【００６７】
各プリンタに適したリサイズ処理が行われると，対応するプリンタにリサイズ後のプリント選択画像を表す画像データおよびプリント指令が送信される（ステップ76）。各プリンタにおいて，選択された用紙に同じ大きさのプリント選択画像がプリントされることとなる。異なるプリンタを用いてプリントする場合であてもユーザによって指定された用紙に同じ大きさの画像をプリントすることができるようになる。プリンタ制御装置１からプリンタ50Ａから50Ｅにユーザによって指定された用紙を示すデータも送信され，その用紙を示すデータにもとづいて各プリンタにおいて使用すべき用紙が決定されるのはいうまでもない。
【図面の簡単な説明】
【図１】プリンタ制御システムを示している。
【図２】プリンタ制御装置の操作パネルを示している。
【図３】プリンタ制御装置の電気的構成を示すブロック図である。
【図４】プリンタの仕様を示すテーブルである。
【図５】プリンタ自動選択処理を示すフローチャートである。
【図６】プリント対象画像の縦方向および横方向の画素数を示している。
【図７】プリンタによってプリントする画像の縦方向および横方向の画素数を示している。
【図８】リサイズ後のプリント対象画像の縦方向および横方向の画素数を示している。
【図９】一括プリントの処理を示すフローチャートである。
【符号の説明】
１  プリンタ制御装置
２  メモリ・カード・インターフェイス
３  光磁気ディスク・ドライバ
４  磁気ディスク・ドライバ
10  ＳＣＳＩインターフェイス
12  操作インターフェイス
13  プログラム格納メモリ
16  不揮発性メモリ
20  光ディスク・ドライバ
33  光ディスク
34  メモリ・カード
35  光磁気ディスク
36  磁気ディスク
40  モニタ表示装置
50Ａ〜50Ｃ  プリンタ
【図１】
0004113663.tif 000002
【図２】
0004113663.tif 000003
【図３】
0004113663.tif 000004
【図４】
0004113663.tif 000005
【図５】
0004113663.tif 000006
【図６】
0004113663.tif 000007
【図７】
0004113663.tif 000008
【図８】
0004113663.tif 000009
【図９】
0004113663.tif 000010